(57)【要約】【課題】大容量の蓄電装置について、充放電の効率を改善する蓄電装置および蓄電方法を提供する。【解決手段】少なくとも１つの単位二次電池ＢＴが直列に接続された単位電池列１１〜１Ｎと、単位電池列２１〜２Ｎの特性を検出する検出手段２１〜２Ｎ、３１〜３Ｎ、４１〜４Ｎと、を備えた複数の電池ユニットＵ１〜ＵＮが並列に接続された蓄電装置であって、単位電池列１１〜１Ｎの入力出力端子と、電源または負荷８との間に配置されたスイッチ手段ＳＷ０、ＳＷ１〜ＳＷＮと、検出手段２１〜２Ｎ、３１〜３Ｎ、４１〜４Ｎから得た特性値を演算する演算手段５、６、７と、演算手段５、６、７の演算結果に基づいて、スイッチ手段ＳＷ０、ＳＷ１〜ＳＷＮのオン／オフを制御する制御手段ＣＴＲと、を備えた蓄電装置。【選択図】    図１
2009231127.tif 000002
【特許請求の範囲】
【請求項１】
少なくとも１つの単位二次電池が直列に接続された単位電池列と、前記単位電池列の特性を検出する検出手段と、を備えた複数の電池ユニットが並列に接続された蓄電装置であって、
前記単位電池列の入力出力端子と、電源または負荷との間に配置されたスイッチ手段と、
前記検出手段から得た特性値を演算する演算手段と、
前記演算手段の演算結果に基づいて、前記スイッチ手段のオン／オフを制御する制御手段と、を備えた蓄電装置。
【請求項２】
前記検出手段は、前記単位電池列の各単位二次電池の電池電圧を検出する電池列電圧検出手段を有し、
前記演算手段は、前記電池列電圧検出手段によって検出された電圧値を演算する検出電圧演算手段を有する請求項１記載の蓄電装置。
【請求項３】
前記検出電圧演算手段は、前記単位電池列ごとに、前記単位電池列を構成する単位二次電池の電圧値の最大値と最小値との差が規定値以上であるか否かを判断する判断手段を有し、
前記制御手段は、前記判断手段によって前記単位電池列を構成する単位二次電池の電圧値の最大値と最小値との差が規定値以上であると判断された場合に、単位二次電池の電圧値の最大値と最小値との差が規定値以上である前記単位電池列に接続されたスイッチ手段をオフさせる手段を有する請求項２記載の蓄電装置。
【請求項４】
前記検出手段は、前記単位電池列に流れる電流値を検出する電池列電流検出手段を有し、
前記演算手段は、前記電池列電流検出手段によって検出された電流値を演算する検出電流演算手段を有する請求項１乃至請求項３のいずれか１項記載の蓄電装置。
【請求項５】
前記検出電流演算手段は、前記電池列電流検出手段によって検出された電流値が規定値以上であるか否かを判断する判断手段を有し、
前記制御手段は、前記判断手段によって前記電流値が規定値以上であると判断された場合に、規定値以上の電流が流れる単位電池列に接続されたスイッチ手段をオフさせる手段を有する請求項４記載の蓄電装置。
【請求項６】
前記検出手段は、前記単位電池列の複数の単位二次電池の温度を検出する温度検出手段を有し、
前記演算手段は、前記温度検出手段によって検出された温度値を演算する検出温度演算手段を有する請求項１乃至請求項５のいずれか１項記載の蓄電装置。
【請求項７】
前記検出温度演算手段は、前記温度検出手段によって検出された温度値のうちの最高温度が規定値以上であるか否か、および、最低温度が規定値以上であるか否か、を判断する判断手段を有し、
前記制御手段は、前記判断手段によって前記最高温度が規定値以上であると判断された場合に、最高温度である単位電池列に接続された前記スイッチ手段をオフさせ、前記最低温度が規定値以下であると判断された場合に、最低温度である単位電池列に接続された前記スイッチ手段をオフさせる手段を有する請求項６記載の蓄電装置。
【請求項８】
少なくとも１つの単位二次電池が直列に接続された単位電池列と、前記単位電池列の特性を検出する検出手段と、を備えた複数の電池ユニットを並列に接続した蓄電方法であって、
前記検出手段から得た特性値を演算する演算ステップと、
前記演算ステップにおける演算結果に基づいて、前記単位電池列の入力出力端子と、電源または負荷との間に配置されたスイッチ手段を制御する制御ステップと、を備えた蓄電方法。
【請求項９】
少なくとも１つの単位二次電池が直列に接続された単位電池列と、前記単位電池列の特性を検出する検出手段と、を備えた複数の電池ユニットが並列に接続された蓄電装置であって、
前記単位電池列の入力出力端子と、電源または負荷との間に配置されたスイッチ手段と、
前記スイッチ手段のオン／オフを制御する制御手段と、を備え、
前記検出手段は、前記電池ユニットの外部に設けられた判定手段に検出された特性値を送信する通信手段を備え、
前記判定手段は、前記検出手段から検出された特性値を受信する受信手段と、
前記特性値が送信されたか否かを判定する手段と、
前記特性値が送信されなかった場合に、前記特性値が送信されなかった単位電池列に接続されたスイッチ手段をオフさせるための信号を前記制御手段に送信する通信手段を有する蓄電装置。
【請求項１０】
前記検出手段は、前記単位電池列の各単位二次電池の電池電圧を検出する電池列電圧検出手段を有し、
前記判定手段は、前記電池列電圧検出手段によって検出された電圧値が前記受信手段によって受信されたか否かを判定する手段を有する請求項９記載の蓄電装置。
【発明の詳細な説明】
【技術分野】
【０００１】
この発明は、蓄電装置および蓄電方法に関し、特に大容量の蓄電装置および蓄電方法に関する。
【背景技術】
【０００２】
大容量の蓄電装置として、例えば、複数の電池を直列に接続した電池列をさらに並列に接続するものが用いられている。これらの電池列は、それぞれ充電時には電源に接続され、放電時には負荷に接続される。
【０００３】
従来、複数個の電池を直列に接続してケース内に収容した電池パックにおいて、リチウムイオン二次電池を使用した場合に、各単電池の電圧をケースの外部から監視して、ある単電池の充電度が１００％に達した時点で電池パック全体の充電を停止する電池パックが提案されている（特許文献１参照）。
【特許文献１】特開２００７−２００７５８号公報
【発明の開示】
【発明が解決しようとする課題】
【０００４】
しかし、上記のような大容量の蓄電装置において、例えば、内部インピーダンスが大きい、あるいは、自己放電が大きい等、特性の悪い電池列が含まれる場合がある。この特性の悪い電池列が含まれている場合に、上記のように１つの電池列の充電が完了したときに充電を停止すると、他の電池列が完全に充電に至る前に蓄電装置の充電を停止する必要があり、他の電池列の能力を充分に利用することができない場合があった。
【０００５】
本発明は、上記の問題点に鑑みて成されたものであって、大容量の蓄電装置について、充放電の効率を改善する蓄電装置および蓄電方法を提供することを目的とする。
【課題を解決するための手段】
【０００６】
本発明の第一態様による蓄電装置は、少なくとも１つの単位二次電池が直列に接続された単位電池列と、前記単位電池列の特性を検出する検出手段と、を備えた複数の電池ユニットを並列に接続した蓄電装置であって、前記単位電池列の入力出力端子と、電源または負荷との間に配置されたスイッチ手段と、前記検出手段から得た特性値を演算する演算手段と、前記演算手段の演算結果に基づいて、前記スイッチ手段を制御する制御手段と、を備える。
【０００７】
本発明の第二態様による蓄電方法は、少なくとも１つの単位二次電池が直列に接続された単位電池列と、前記単位電池列の特性を検出する検出手段と、を備えた複数の電池ユニットを並列に接続した蓄電方法であって、前記検出手段から得た特性値を演算する演算ステップと、前記演算ステップにおける演算結果に基づいて、前記単位電池列の入力出力端子と、電源または負荷との間に配置されたスイッチ手段を制御する制御ステップと、を備える。
【０００８】
本発明の第三態様による蓄電装置は、少なくとも１つの単位二次電池が直列に接続された単位電池列と、前記単位電池列の特性を検出する検出手段と、を備えた複数の電池ユニットが並列に接続された蓄電装置であって、前記単位電池列の入力出力端子と、電源または負荷との間に配置されたスイッチ手段と、前記スイッチ手段のオン／オフを制御する制御手段と、を備え、前記検出手段は、前記電池ユニットの外部に設けられた判定手段に検出された特性値を送信する通信手段を備え、前記判定手段は、前記検出手段から検出された特性値を受信する受信手段と、前記特性値が送信されたか否かを判定する手段と、前記特性値が送信されなかった場合に、前記特性値が送信されなかった単位電池列に接続されたスイッチ手段をオフさせるための信号を前記制御手段に送信する通信手段を有する蓄電装置。
【発明の効果】
【０００９】
この発明によれば、大容量の蓄電装置について、充放電の効率を改善する蓄電装置および蓄電方法を提供することができる。
【発明を実施するための最良の形態】
【００１０】
以下、本発明の実施形態に係る蓄電装置について図面を参照して説明する。図１に示すように、本実施形態に係る蓄電装置は、少なくとも１つの単位二次電池ＢＴが直列に接続された単位電池列１１〜１Ｎと、単位電池列１１〜１Ｎの特性を検出する検出手段としての電池列電圧検出部２１〜２Ｎ、電池列電流検出部３１〜３Ｎ、および単位電池列１１〜１Ｎに含まれる複数の単位二次電池ＢＴの温度を検出する温度検出部４１〜４Ｎを備えた電池ユニットＵ１〜ＵＮを並列に接続した蓄電装置である。
【００１１】
さらに、本実施形態に係る蓄電装置は、検出手段から得た特性値を演算する演算部を有している。すなわち、電池列電圧検出部２１〜２Ｎから得た電圧値を演算する検出電圧演算部５、電池列電流検出部３１〜３Ｎから得た電流値を演算する検出電流演算部６、温度検出部４１〜４Ｎから得た温度値を演算する検出温度演算部７を有している。
【００１２】
本実施形態では、単位二次電池ＢＴとして、例えばリチウムイオン電池を用いている。それぞれの単位電池列１１〜１Ｎは、直列に接続された複数の単位二次電池ＢＴを有している。これらの単位電池列１１〜１Ｎは，充電時には電源８に接続され、放電時には負荷８に接続される。
【００１３】
本実施形態に係る蓄電装置は、電源８（または負荷８）と電池ユニットＵ１〜ＵＮの入出力端子との間に配置されたスイッチＳＷ０を有している。さらに、図１に示すように、電源８（または負荷８）と電池ユニットＵ１〜ＵＮの入出力端子との間には、それぞれの電池ユニットＵ１〜ＵＮとの間にスイッチＳＷ１〜ＳＷＮが配置されている。
【００１４】
したがって、スイッチＳＷ１〜ＳＷＮ全部あるいはスイッチＳＷ０をオフすることによって、電源８（または負荷８）と全部の電池ユニットＵ１〜ＵＮとの接続を切ることができ、スイッチＳＷ１〜ＳＷＮのいずれかをオフすることによって、電源８（あるいは負荷８）と個々の電池ユニットＵ１〜ＵＮとの接続を切ることができる。
【００１５】
これらスイッチＳＷ０、ＳＷ１〜ＳＷＮは機械的に電源８（または負荷８）と電池ユニットＵ１〜ＵＮとの接続をオンオフするスイッチでも良く、電気的に電源８（または負荷８）と電池ユニットＵ１〜ＵＮとの接続をオンオフするスイッチでも良い。
【００１６】
電池列電圧検出部２１〜２Ｎは、単位電池列１１〜１Ｎの単位二次電池ＢＴそれぞれに接続されている。例えば、電池列電圧検出部２１は単位電池列１１の単位二次電池ＢＴに接続され、単位電池列１１の各単位二次電池ＢＴの電池電圧を検出している。電池列電圧検出部２１〜２Ｎは、検出された電圧値を検出電圧演算部５に供給する。
【００１７】
電池列電流検出部３１〜３Ｎは、単位電池列１１〜１Ｎそれぞれの入出力端に接続されている。例えば、電池列電流検出部３１は単位電池列１１の陽極側に接続され、単位電池列１１に流れる電流を検出している。電池列電流検出部３１〜３Ｎは、検出された電流値を検出電流演算部６に供給する。
【００１８】
温度検出部４１〜４Ｎは、単位電池列１１〜１Ｎの複数の単位二次電池ＢＴに取り付けられている。例えば、温度検出部４１は単位電池列１１の複数の単位二次電池ＢＴに取り付けられ、各単位二次電池ＢＴの温度を検出している。温度検出部４１〜４Ｎは、検出された温度値を検出温度演算部７に供給する。
【００１９】
なお、温度検出部４１は、各単位二次電池ＢＴの温度を検出するものでなく、少なくとも単位電池列１１〜１Ｎごとに複数の単位二次電池ＢＴの温度を検出するものであってもよく、また、温度検出部分が単位二次電池ＢＴ間に配置され、単位二次電池ＢＴ間の温度を検出するものであってもよい。
【００２０】
検出電圧演算部５は、後に説明するように、電池列電圧検出部２１〜２Ｎから得た電圧値を演算して、単位電池列１１〜１Ｎの特性が悪いか否かを判断する。検出電流演算部６は、後に説明するように、電池列電流検出部３１〜３Ｎから得た電流値を演算して、単位電池列１１〜１Ｎの特性が悪いか否かを判断する。検出温度演算部７は、後に説明するように、温度検出部４１〜４Ｎから得た温度値を演算して、単位電池列１１〜１Ｎの特性が悪いか否かを判断する。
【００２１】
これら検出電圧演算部５、検出電流演算部６、および、検出温度演算部７での演算結果は、スイッチ制御部ＣＴＲに供給される。スイッチ制御部ＣＴＲは、供給された演算結果に基づいて、スイッチＳＷ０またはスイッチＳＷ１〜ＳＷＮのオンオフを制御する。
【００２２】
すなわち、スイッチ制御部ＣＴＲは、検出電圧演算手段において、単位電池列１１〜１Ｎのいずれかの特性が悪いと判断された場合には、特性が悪いと判断された単位電池列に接続されたスイッチをオフして特性が悪い単位電池列への充電あるいは放電を停止させるか、または、スイッチＳＷ１〜ＳＷＮ全部あるいはスイッチＳＷ０をオフして蓄電装置全体の充電あるいは放電を停止させる。
【００２３】
以下に、上記の蓄電装置における蓄電方法の一例につい図２を参照して説明する。スイッチＳＷ０、ＳＷ１〜ＳＷＮが全てオンの状態で、複数の電池ユニットＵ１〜ＵＮの充電または放電が開始されると、電池列電圧検出部２１〜２Ｎで検出された電圧値が検出電圧演算部５に供給される。例えば、電池列電圧検出部２１によって単位電池列１１を構成する単位二次電池ＢＴの電圧値が検出され、検出電圧演算部５に供給される。
【００２４】
検出電圧演算部５は、Ｋ＝１と設定し（ステップＳＴＡ１）、各単位電池列１Ｋを構成する単位二次電池ＢＴの電圧値の最大値と最小値とのの差を算出する（ステップＳＴＡ２）。次に、第Ｋ番目の単位電池列１Ｋを構成する単位二次電池ＢＴについて、算出された最大値と最小値との差が規定値よりも大きいか否かを判断する（ステップＳＴＡ３）。ここで、算出された差が規定値よりも大きい場合には、第Ｋ番目の単位電池列１Ｋの特性が悪いと判断する。
【００２５】
この場合、検出電圧演算部５は、第Ｋ番目の単位電池列１Ｋに直列に接続されたスイッチＳＷ１をオフするため信号をスイッチ制御部ＣＴＲに供給し、スイッチ制御部ＣＴＲは供給された信号にしたがって、スイッチＳＷＫをオフして（スイッチＳＴＡ４）、Ｋ＝Ｋ＋１とする（ステップＳＴＡ５）。
【００２６】
第Ｋ番目の単位電池列１Ｋを構成する単位二次電池ＢＴの電圧値の最大値と最小値との差が、規定値以下の場合には、検出電圧演算部５は、Ｋ＝Ｋ＋１とする（ステップＳＴＡ５）。検出電圧演算部５は、上記の動作をＫ＝Ｎとなるまで繰返し、特性の悪い単位電池列に直列に接続されたスイッチをオフさせる。
【００２７】
このように蓄電装置を蓄電あるいは放電すると、特性の悪い単位電池列と電源または負荷との接続のみを切ることができるため、他の単位電池列の充電または放電が停止されることなく、充放電を効率よく行うことができる。
【００２８】
次に、蓄電方法の他の例について図３を参照して説明する。複数の電池ユニットＵ１〜ＵＮの充電または放電が開始され、電池列電流検出部３１〜３Ｎで検出された電流値が（ステップＳＴＢ１）、検出電流演算部６に供給されると、検出電流演算部６は、Ｎ個の電流値のいずれかが規定値以下であるか否かを判断する（ステップＳＴＢ２）。
【００２９】
いずれかの電流値が規定値以下の場合には、検出電流演算部６は、規定値以下の電流が流れる単位電池列の特性が悪いと判断し、スイッチ制御部ＣＴＲに、スイッチＳＷ１〜ＳＷＮのうちの規定値以下の電流が流れる単位電池列に接続されたスイッチをオフさせるための信号を供給し、スイッチ制御部ＣＴＲは、供給された信号にしたがって該当するスイッチをオフする（ステップＳＴＢ３）。
【００３０】
いずれの電流値も規定値よりも大きい場合には、検出電流演算部６は、さらに、Ｎ個の電流値のいずれかが規定値以上であるか否かを判断する（ステップＳＴＢ４）。いずれかの電流値が規定値以上の場合には、検出電流演算部６は、規定値以上の電流が流れる単位電池列の特性が悪いと判断し、スイッチ制御部ＣＴＲに、スイッチＳＷ１〜ＳＷＮのうちの規定値以上の電流が流れる単位電池列に直列に接続されたスイッチをオフさせるための信号を供給し、スイッチ制御部ＣＴＲは、供給された信号にしたがって該当するスイッチをオフする（ステップＳＴＢ３）。
【００３１】
上記のように、蓄電装置を蓄電あるいは放電すると、特性の悪い単位電池列と電源または負荷との接続のみを切ることができるため、他の単位電池列の充電または放電が停止されることなく、充放電を効率よく行うことができる。
【００３２】
次に、蓄電方法の他の例について図４を参照して説明する。複数の電池ユニットＵ１〜ＵＮの充電または放電が開始され、温度検出部４１〜４Ｎで検出された温度値が検出温度演算部７に供給されると、検出温度演算部７は、各単位電池列１１〜１Ｎの複数の単位二次電池ＢＴの温度値から各単位電池列１１〜１Ｎの平均温度値を算出する（ステップＳＴＣ１）。そして、Ｋ＝１と設定し（ステップＳＴＣ２）、例えば、第Ｋ番目の単位電池列１Ｋの平均温度値と第（Ｋ＋１）番目の単位電池列１（Ｋ＋１）の平均温度値とを比較する（ステップＳＴＣ３）。
【００３３】
そして、比較した２つの平均温度値に規定値以上の差があるか否かを判断する（ステップＳＴＣ４）。２つの平均温度値に規定値以上の差がある場合には、第（Ｋ＋１）番目の単位電池列１（Ｋ＋１）の特性が悪いと判断する。
【００３４】
この場合には、検出温度演算部７は、スイッチ制御部ＣＴＲに、スイッチＳＷ（Ｋ＋１）をオフさせるための信号を供給し、スイッチ制御部ＣＴＲは、スイッチＳＷ（Ｋ＋１）をオフする（ステップＳＴＣ５）。
【００３５】
特性の悪い単位電池列に接続されたスイッチをオフした後、および、比較した２つの平均温度値に規定値以上の差がない場合には、Ｋ＝Ｋ＋１とし（ステップＳＴＣ７）、Ｋ＝Ｎ−１となるまで繰り返す（ステップＳＴＣ８）。
【００３６】
次に、検出温度演算部７は、第Ｎ番目の単位電池列１Ｎの平均温度値と、第１番目の単位電池列１１の平均温度値とを比較する（ステップＳＴＣ８）。そして、比較した２つの平均温度値に規定値以上の差があるか否かを判断する（ステップＳＴＣ９）。２つの平均温度値に規定値以上の差がある場合には、第１番目の単位電池列の特性が悪いと判断する。
【００３７】
この場合には、検出温度演算部７は、スイッチ制御部ＣＴＲに、スイッチＳＷ１をオフさせるための信号を供給し、スイッチ制御部ＣＴＲは、スイッチＳＷ１をオフする（ステップＳＴＣ１０）。比較した２つの平均温度値に規定値以上の差がない場合には、そのまま終了する。
【００３８】
上記のように、各単位電池列１１〜１Ｎを構成する単位二次電池ＢＴの温度から算出した平均温度値を用いて蓄電装置を蓄電あるいは放電すると、特性の悪い単位電池列と電源または負荷との接続のみを切ることができるため、他の単位電池列の充電または放電が停止されることなく、充放電を効率よく行うことができる。
【００３９】
次に、蓄電方法の他の例について図３を参照して説明する。複数の電池ユニットＵ１〜ＵＮの充電または放電が開始され、温度検出部４１〜４Ｎで検出された温度値が検出温度演算部７に供給されると、検出温度演算部７は、例えば、各単位電池列で検出された複数の温度値の最高温度値と最低温度値とを抽出する（ステップＳＴＤ１）。
【００４０】
Ｎ個の最高温度値と最低温度値とが抽出されると、検出温度演算部７は、Ｎ個の最高温度値のいずれかが規定値以上であるか否かを判断する（ステップＳＴＤ２）。いずれかの平均温度値が規定値以上の場合には、検出温度演算部７は、最高温度値が規定値以上である単位電池列の特性が悪いと判断し、スイッチ制御部ＣＴＲに、スイッチＳＷ１〜ＳＷＮのうちの規定値以上の平均温度である単位電池列に接続されたスイッチをオフさせるための信号を供給する。スイッチ制御部ＣＴＲは、供給された信号にしたがって該当するスイッチをオフする（ステップＳＴＤ３）。
【００４１】
いずれの最高温度値も規定値よりも小さい場合には、検出温度演算部７は、さらに、Ｎ個の最低温度値のいずれかが規定値以上であるか否かを判断する（ステップＳＴＤ４）。ここで、最高温度値と比較する規定値と最低温度値と比較する規定値とは異なる値である。
【００４２】
いずれかの最低温度値が規定値以下の場合には、検出温度演算部７は、最低温度値が規定値以下である単位電池列の特性が悪いと判断し、スイッチ制御部ＣＴＲに、スイッチＳＷ１〜ＳＷＮのうちの規定値以下の平均温度である単位電池列に接続されたスイッチをオフさせるための信号を供給する。スイッチ制御部ＣＴＲは、供給された信号にしたがって該当するスイッチをオフする（ステップＳＴＤ３）。
【００４３】
上記のように、蓄電装置を蓄電あるいは放電すると、特性の悪い単位電池列と、電源または負荷との接続のみを切ることができるため、他の単位電池列の充電または放電が停止されることなく、充放電を効率よく行うことができる。
【００４４】
すなわち、本実施形態に係る蓄電装置および蓄電方法によれば、大容量の蓄電装置について、充放電の効率を改善する蓄電装置および蓄電方法を提供することができる。
【００４５】
なお、この発明は、上記実施形態そのままに限定されるものではなく、実施段階ではその要旨を逸脱しない範囲で構成要素を変形して具体化できる。
【００４６】
例えば、図６に示すように、電池列電圧検出部２１〜２Ｎが通信手段（図示せず）を有する場合には、電池ユニットＵ１〜ＵＮの外部に設けられた判定部９に検出結果を通信手段によって送信するようにしても良い。
【００４７】
判定部９は電池列電圧検出部２１〜２Ｎでの検出結果を受信する受信手段（図示せず）と、例えば電池列電圧検出部２１〜２Ｎのいずれかから検出結果が送信されてこない場合に、その単位電池列の特性に異常があると判断する手段（図示せず）と、電圧値の検出結果が送信されなかった単位電池列に接続されたスイッチをオフするための信号をスイッチ制御手段ＣＴＲに送信する送信手段（図示せず）とを有している。
【００４８】
スイッチ制御手段ＣＴＲは、判定部９から送信された信号に基づいて、スイッチＳＷ１〜ＳＷＮのうちの該当するスイッチをオフする。判定部９では、受信した検出結果を演算して、演算結果に基づいて制御手段ＣＴＲにスイッチＳＷ１〜ＳＷＮのオン／オフを制御するための信号を送信するように構成されていてもよい。判定部９の信号に基づいて、スイッチ制御手段ＣＴＲがスイッチＳＷ１〜ＳＷＮのオン／オフを制御する場合には、検出電圧演算部５は省略可能である。
【００４９】
上記のように、電池列電圧検出部２１〜２Ｎが判定部９との通信によりスイッチＳＷ１〜ＳＷＮのオンオフを制御する場合であっても、上述の実施形態に係る蓄電装置および蓄電方法と同様の効果を得ることができる。
【００５０】
また、上記の実施形態に係る蓄電装置は、電池列電圧検出部２１〜２Ｎ、電池列電流検出部３１〜３Ｎ、および、温度検出部４１〜４Ｎを有していたが、これらのいずれか１つを有する場合であっても、特性の悪い単位電池列に接続されたスイッチのオンオフを制御することができ、大容量の蓄電装置について、充放電の効率を改善する蓄電装置および蓄電方法を提供することができる。
【００５１】
また、上記の実施形態に係る蓄電装置で、スイッチＳＷ１〜ＳＷＮとスイッチＳＷ０との両方を有していたが、すくなくともスイッチＳＷ１〜ＳＷＮが設けられていれば良い。その場合であっても上述の実施形態に係る蓄電装置と同様の効果が得られる。
【００５２】
また、上記の実施形態に係る蓄電方法では、上記の実施形態に係る蓄電方法では、スイッチＳＷ１〜ＳＷＮのうちの特性の悪い単位電池列に接続されたスイッチのみをオフするように制御しているが、特性の悪い単位電池列が合った場合に、スイッチＳＷ１〜ＳＷＮ全部またはスイッチＳＷ０をオフして、全ての単位電池列の充電または放電を停止させても良い。
【００５３】
この場合には、充電または放電することにより特性の悪い単位電池列が含まれることが分かるため、特性の悪い単位電池列を除去したり交換したりすることによって、他の単位電池列を効率よく用いることができる。
【００５４】
図４に示す場合では、各単位電池列について検出された複数の温度値を加算して単位電池列の平均温度値を算出していたが、例えば、各単位電池列について検出された温度値の最大値または最小値を抽出し、抽出された最大値または最小値を順次比較してもよい。これらの場合であっても、上述の実施形態に係る蓄電方法と同様の効果が得られる。
【００５５】
さらに、図５に示す場合では、各単位電池列について検出された複数の温度値の最高値および最低値を抽出していたが、例えば、各単位電池列を構成する単位電池の温度の平均値が規定値以上であるか否かを判断してもよく、各単位電池列を構成する単位電池の温度を加算した値を算出し、算出した値が規定値以上であるか否かを判断してもよい。これらの場合であっても、上述の実施形態に係る蓄電方法と同様の効果が得られる。
【００５６】
また、上記の蓄電装置および蓄電方法で用いられる規定値とは、あらかじめ設定された値でもよく、充電および放電の条件に応じて所定のパラーメータから算出される値であってもよい。
【００５７】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００５８】
【図１】本発明の一実施形態に係る蓄電装置の一構成例を概略的に示す図。
【図２】本発明の一実施形態に係る蓄電方法であって、検出された電圧値を用いる方法の一例を説明するためのフローチャート。
【図３】本発明の一実施形態に係る蓄電方法であって、検出された電圧値を用いる方法の他の例を説明するためのフローチャート。
【図４】本発明の一実施形態に係る蓄電方法であって、検出された電流値を用いる方法の一例を説明するためのフローチャート。
【図５】本発明の一実施形態に係る蓄電方法であって、検出された温度値を用いる方法の一例を説明するためのフローチャート。
【図６】本発明の一実施形態に係る蓄電方法であって、検出された温度値を用いる方法の他の例を説明するためのフローチャート。
【符号の説明】
【００５９】
ＢＴ…単位二次電池、Ｕ１〜ＵＮ…電池ユニット、ＣＴＲ…スイッチ制御部、ＳＷ１〜ＳＷＮ…スイッチ、５…検出電圧演算部、６…検出電流演算部、７…検出温度演算部、８…電源または負荷、１１〜１Ｎ…単位電池列、２１〜２Ｎ…電池列電圧検出部、３１〜３Ｎ…電池列電流検出部、４１〜４Ｎ…温度検出部
【図１】
2009231127.tif 000003
【図２】
2009231127.tif 000004
【図３】
2009231127.tif 000005
【図４】
2009231127.tif 000006
【図５】
2009231127.tif 000007
【図６】
2009231127.tif 000008